【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
ＩＰのＱｏＳパラメータとＵＭＴＳのＱｏＳ属性との間の変換の方法であって、前記方法は、
ａ．ＩＰのＱｏＳパラメータをＵＭＴＳのＱｏＳ属性に変換する工程と、
ｂ．ＵＭＴＳのＱｏＳ属性をＩＰのＱｏＳパラメータに変換する工程とを有し、
前記ＩＰのＱｏＳパラメータをＵＭＴＳのＱｏＳ属性に変換する工程は、
ｉ．  もしＭＩＭＥパラメータがセットされているなら、ＭＩＭＥメディアタイプがチェックされるように、そして、もしＭＩＭＥメディアタイプがオーディオであるなら、ＡＭＲについてのＭＩＭＥ符号化がチェックされるように、ＭＩＭＥパラメータについてチェックする工程と、
ii．  もしＭＩＭＥパラメータがセットされていないなら、制御された負荷パラメータと無線ヒントとを用いてＵＭＴＳのＱｏＳ属性を決定する工程と、
iii.  もしＭＩＭＥパラメータがセットされているなら、制御された負荷パラメータと無線ヒントとＭＩＭＥパラメータとを用いてＵＭＴＳのＱｏＳ属性を決定する工程とを実行し、
前記ＵＭＴＳのＱｏＳ属性を決定する工程はまた、
（ａ）  予想遅延範囲、パケット処理優先度、ＳＦＩ、最大パケットサイズ、トークンレート、及びピークレートを用いて、トラフィッククラス、転送遅延、ソース静的記述子、トラフィック処理優先度、保証ビットレート、最大ビットレート、最大ＳＤＵサイズ、及びＳＤＵフォーマット情報を決定することと、
（ｂ）  用いられるトランスポートプロトコルについての情報を用いて、配信順序、及びエラーＳＤＵの配信を決定することと、
（ｃ）  パケット損失率とビットエラー率とを用いて、ＳＤＵエラー率と残存ビットエラー率とを決定することとを含むことを特徴とする方法。
【請求項２】
前記予想遅延範囲、パケット処理優先度、ＳＦＩ、最大パケットサイズ、トークンレート、及びピークレートを用いて、トラフィッククラス、転送遅延、ソース静的記述子、トラフィック処理優先度、保証ビットレート、最大ビットレート、最大ＳＤＵサイズ、及びＳＤＵフォーマット情報を決定する工程はさらに、
ａ．予想遅延範囲がセットされたかどうかをチェックする工程と、
ｂ．もし予想遅延範囲がセットされたなら、予想遅延範囲、トークンレート、ＳＦＩ、最大パケットサイズ、及びピークレートを用いて、トラフィッククラス、転送遅延、ソース静的記述子、保証ビットレート、最大ビットレート、最大ＳＤＵサイズ、及びＳＤＵフォーマット情報を決定する工程と、
ｃ．もし予想遅延範囲がセットされていないなら、パケット処理優先度、最大パケットサイズ、及びピークレートを用いて、トラフィッククラス、トラフィック処理優先度、最大ＳＤＵサイズ、及び最大ビットレートを決定する工程とを有することを特徴とする請求項１に記載の方法。
【請求項３】
前記パケット損失率とビットエラー率とを用いて、ＳＤＵエラー率と残存ビットエラー率とを決定する工程はさらに、
ａ．パケット損失率がセットされたかどうかをチェックする工程と、
ｂ．ビットエラー率がセットされたかどうかをチェックする工程と、
ｃ．もしパケット損失率とビットエラー率とがセットされていないなら、所定の値を用いてＳＤＵエラー率と残存ビットエラー率とを決定する工程と、
ｄ．もしパケット損失率がセットされておらずビットエラー率がセットされているなら、ビットエラー率を用いてＳＤＵエラー率と残存ビットエラー率とを決定する工程と、
ｅ．もしパケット損失率がセットされておりビットエラー率がセットされていないなら、パケット損失率を用いてＳＤＵエラー率と残存ビットエラー率とを決定する工程と、
ｆ．もしパケット損失率とビットエラー率とがセットされているなら、パケット損失率とビットエラー率とを用いてＳＤＵエラー率と残存ビットエラー率とを決定する工程とを有することを特徴とする請求項１に記載の方法。
【請求項４】
前記もしパケット損失率がセットされておらずビットエラー率がセットされているなら、ビットエラー率を用いてＳＤＵエラー率と残存ビットエラー率とを決定する工程はさらに、
ａ．もし無線アクセスベアラ（ＲＡＢ）のサブフローの数が１つであるなら、
ｉ．  エラーＳＤＵの配信についてチェックする工程と、
ii．  もしエラーＳＤＵの配信に（−）がセットされているなら、ビットエラー率とトラフィッククラスとを用いて残存ビットエラー率を決定する工程と、
iii.  もしエラーＳＤＵの配信に（イエス／ノー）がセットされているなら、ビットエラー率とトラフィッククラスとを用いて残存ビットエラー率とＳＤＵエラー率の両方を決定する工程とを実行し、
ｂ．もし２つ以上であるなら、各ＲＡＢのサブフローについて前記ａ．の工程を繰り返すことを特徴とする請求項３に記載の方法。
【請求項５】
前記もしパケット損失率がセットされておりビットエラー率がセットされていないなら、パケット損失率を用いてＳＤＵエラー率と残存ビットエラー率とを決定する工程はさらに、
ａ．もし無線アクセスベアラ（ＲＡＢ）のサブフローの数が１つであるなら、
ｉ．  エラーＳＤＵの配信についてチェックする工程と、
ii．  もしエラーＳＤＵの配信に（−）がセットされているなら、パケット損失率とトラフィッククラスとを用いて残存ビットエラー率を決定する工程と、
iii.  もしエラーＳＤＵの配信に（イエス／ノー）がセットされているなら、パケット損失率とトラフィッククラスとを用いて残存ビットエラー率とＳＤＵエラー率の両方を決定する工程とを実行し、
ｂ．もし２つ以上であるなら、各ＲＡＢのサブフローについて前記ａ．の工程を繰り返すことを特徴とする請求項３に記載の方法。
【請求項６】
前記もしパケット損失率とビットエラー率とがセットされているなら、パケット損失率とビットエラー率とを用いてＳＤＵエラー率と残存ビットエラー率とを決定する工程はさらに、
ａ．もし無線アクセスベアラ（ＲＡＢ）のサブフローの数が１つであるなら、
ｉ．  エラーＳＤＵの配信についてチェックする工程と、
ii．  もしエラーＳＤＵの配信に（−）がセットされているなら、ビットエラー率とトラフィッククラスとを用いて残存ビットエラー率を決定する工程と、
iii.  もしエラーＳＤＵの配信に（イエス／ノー）がセットされているなら、ビットエラー率とパケット損失率とトラフィッククラスとを用いて、残存ビットエラー率とＳＤＵエラー率を決定する工程とを実行し、
ｂ．もし２つ以上であるなら、各ＲＡＢのサブフローについて前記ａ．の工程を繰り返すことを特徴とする請求項３に記載の方法。
【請求項７】
前記制御された負荷パラメータと無線ヒントとＭＩＭＥパラメータとを用いてＵＭＴＳのＱｏＳ属性を決定する工程は、もしＭＩＭＥメディアタイプがオーディオであり、ＭＩＭＥ符号化がＡＭＲであるなら、さらに、
ａ．予想遅延範囲とmaxptimeの内の１つがセットされるか、或いは予想遅延範囲とmaxptimeの両方がセットされるなら、予想遅延範囲とmaxptimeの内の１つの少なくともいずれかを用いて、トラフィッククラス、転送遅延、及びソース静的記述子を決定する工程と、
ｂ．予想遅延範囲とmaxptimeがセットされないなら、所定の値を用いて、トラフィッククラス、転送遅延、及びソース静的記述子を決定する工程と、
ｃ．モードセット、maxptime、ＳＦＩ、最大パケットサイズ、ピークレート、及びトークンレートを用いて、最大ビットレート、保証ビットレート、ＳＤＵフォーマット情報、及び最大ＳＤＵサイズを決定する工程と、
ｄ．用いられるトランスポートプロトコルについての情報を用いて配信順序を決定する工程と、
ｅ．用いられるトランスポートプロトコルについての情報とＳＤＵフォーマット情報とｃｒｃとを用いてエラーＳＤＵの配信を決定する工程と、
ｆ．パケット損失率とビットエラー率とを用いてＳＤＵエラー率と残存ビットエラー率とを決定する工程とを有することを特徴とする請求項１に記載の方法。
【請求項８】
前記予想遅延範囲とmaxptimeの内の１つがセットされるか、或いは予想遅延範囲とmaxptimeの両方がセットされるなら、予想遅延範囲とmaxptimeの内の１つの少なくともいずれかを用いて、トラフィッククラス、転送遅延、及びソース静的記述子を決定する工程はさらに、
ａ．予想遅延範囲とmaxptimeとの内の少なくともいずれかがセットされたかどうかをチェックする工程と、
ｂ．もし予想遅延範囲がセットされmaxptimeがセットされていないなら、予想遅延範囲を用いて、トラフィッククラス、転送遅延、及びソース静的記述子を決定する工程と、
ｃ．もし予想遅延範囲がセットされておらずmaxptimeがセットされているなら、maxptimeを用いて、トラフィッククラス、トラフィック処理優先度、及びソース静的記述子を決定する工程と、
ｄ．もし予想遅延範囲とmaxptimeがセットされているなら、予想遅延範囲とmaxptimeとの内少なくともいずれかを用いて、トラフィッククラス、転送遅延、及びソース静的記述子を決定する工程とを有することを特徴とする請求項７に記載の方法。
【請求項９】
前記モードセット、maxptime、ＳＦＩ、最大パケットサイズ、ピークレート、及びトークンレートを用いて、最大ビットレート、保証ビットレート、ＳＤＵフォーマット情報、及び最大ＳＤＵサイズを決定する工程は、
ａ．モードセットがセットされたかどうかをチェックする工程と、
ｂ．もしモードセットがセットされているなら、maxptimeとモードセットとを用いて、最大ＳＤＵサイズ、ＳＤＵフォーマット情報、最大ビットレート、及び保証ビットレートを決定する工程と、
ｃ．もしモードセットがセットされていないなら、ＳＦＩと最大パケットサイズとを用いて、ＳＤＵフォーマット情報と最大ＳＤＵサイズとを決定する工程と、
ｄ．もしモードセットがセットされていないなら、ピークレートとトークンレートとを用いて、最大ビットレートと保証ビットレートとを決定する工程とを有することを特徴とする請求項７に記載の方法。
【請求項１０】
前記パケット損失率とビットエラー率とを用いてＳＤＵエラー率と残存ビットエラー率とを決定する工程はさらに、
ａ．パケット損失率がセットされたかどうかをチェックする工程と、
ｂ．ビットエラー率がセットされたかどうかをチェックする工程と、
ｃ．もしパケット損失率とビットエラー率とがセットされていないなら、所定の値を用いてＳＤＵエラー率と残存ビットエラー率とを決定する工程と、
ｄ．もしパケット損失率がセットされておらずビットエラー率がセットされているなら、ビットエラー率を用いてＳＤＵエラー率と残存ビットエラー率とを決定する工程と、
ｅ．もしパケット損失率がセットされておりビットエラー率がセットされていないなら、パケット損失率を用いてＳＤＵエラー率と残存ビットエラー率とを決定する工程と、
ｆ．もしパケット損失率とビットエラー率とがセットされているなら、パケット損失率とビットエラー率とを用いてＳＤＵエラー率と残存ビットエラー率とを決定する工程とを有することを特徴とする請求項７に記載の方法。
【請求項１１】
前記もしパケット損失率がセットされておらずビットエラー率がセットされているなら、ビットエラー率を用いてＳＤＵエラー率と残存ビットエラー率とを決定する工程はさらに、
ａ．もし無線アクセスベアラ（ＲＡＢ）のサブフローの数が１つであるなら、
ｉ．  エラーＳＤＵの配信についてチェックする工程と、
ii．  もしエラーＳＤＵの配信に（−）がセットされているなら、ビットエラー率とトラフィッククラスとを用いて残存ビットエラー率を決定する工程と、
iii.  もしエラーＳＤＵの配信に（イエス／ノー）がセットされているなら、ビットエラー率とトラフィッククラスとを用いて残存ビットエラー率とＳＤＵエラー率の両方を決定する工程とを実行し、
ｂ．もし２つ以上であるなら、各ＲＡＢのサブフローについて前記ａ．の工程を繰り返すことを特徴とする請求項１０に記載の方法。
【請求項１２】
前記もしパケット損失率がセットされておりビットエラー率がセットされていないなら、パケット損失率を用いてＳＤＵエラー率と残存ビットエラー率とを決定する工程はさらに、
ａ．もし無線アクセスベアラ（ＲＡＢ）のサブフローの数が１つであるなら、
ｉ．  エラーＳＤＵの配信についてチェックする工程と、
ii．  もしエラーＳＤＵの配信に（−）がセットされているなら、パケット損失率とトラフィッククラスとを用いて残存ビットエラー率を決定する工程と、
iii.  もしエラーＳＤＵの配信に（イエス／ノー）がセットされているなら、パケット損失率とトラフィッククラスとを用いて残存ビットエラー率とＳＤＵエラー率の両方を決定する工程とを実行し、
ｂ．もし２つ以上であるなら、各ＲＡＢのサブフローについて前記ａ．の工程を繰り返すことを特徴とする請求項１０に記載の方法。
【請求項１３】
前記もしパケット損失率とビットエラー率とがセットされているなら、パケット損失率とビットエラー率とを用いてＳＤＵエラー率と残存ビットエラー率とを決定する工程はさらに、
ａ．もし無線アクセスベアラ（ＲＡＢ）のサブフローの数が１つであるなら、
ｉ．  エラーＳＤＵの配信についてチェックする工程と、
ii．  もしエラーＳＤＵの配信に（−）がセットされているなら、ビットエラー率とトラフィッククラスとを用いて残存ビットエラー率を決定する工程と、
iii.  もしエラーＳＤＵの配信に（イエス／ノー）がセットされているなら、ビットエラー率とパケット損失率とトラフィッククラスとを用いて、残存ビットエラー率とＳＤＵエラー率の両方を決定する工程とを実行し、
ｂ．もし２つ以上であるなら、各ＲＡＢのサブフローについて前記ａ．の工程を繰り返すことを特徴とする請求項１１に記載の方法。
【請求項１４】
前記ＵＭＴＳのＱｏＳ属性をＩＰのＱｏＳパラメータに変換する工程は、
ａ．トラフィッククラス、転送遅延、トラフィック処理優先度、保証ビットレート、及び最大ビットレートを用いて、予想遅延範囲、パケット処理優先度、トークンレート、及びピークレートを決定する工程と、
ｂ．最大ＳＤＵサイズとＳＤＵフォーマット情報とを用いて、最大パケットサイズとＳＦＩとを決定する工程と、
ｃ．残存ビットエラー率とＳＤＵエラー率とを用いて、パケット損失率とビットエラー率とを決定する工程とを有することを特徴とする請求項１に記載の方法。
【請求項１５】
前記トラフィッククラス、転送遅延、トラフィック処理優先度、保証ビットレート、及び最大ビットレートを用いて、予想遅延範囲、パケット処理優先度、トークンレート、及びピークレートを決定する工程はさらに、
ａ．トラフィッククラスについてチェックする工程と、
ｂ．もしトラフィッククラスがストリーミング或いは会話型であるなら、保証ビットレートを用いて、トークンレートを決定する工程と、
ｃ．もしトラフィッククラスがストリーミング或いは会話型であるなら、最大ビットレートを用いて、ピークレートを決定する工程と、
ｄ．もしトラフィッククラスがストリーミング或いは会話型であるなら、転送遅延を用いて予想遅延範囲を決定する工程と、
ｅ．もしトラフィッククラスがバックグランド或いはインタラクティブであるなら、最大ビットレートを用いて、トークンレートを決定する工程と、
ｆ．もしトラフィッククラスがバックグランド或いはインタラクティブであるなら、最大ビットレートを用いて、ピークレートを決定する工程と、
ｇ．もしトラフィッククラスがバックグランド或いはインタラクティブであるなら、トラフィック処理優先度を用いて、パケット処理優先度を決定する工程を有することを特徴とする請求項１４に記載の方法。
【請求項１６】
前記最大ＳＤＵサイズとＳＤＵフォーマット情報とを用いて、最大パケットサイズとＳＦＩとを決定する工程はさらに、
ａ．ＳＤＵフォーマット情報がセットされたかどうかをチェックする工程と、
ｂ．もしＳＤＵフォーマット情報がセットされたなら、ＳＤＵフォーマット情報を用いて、最大パケットサイズを決定する工程と、
ｃ．もしＳＤＵフォーマット情報がセットされたなら、ＳＤＵフォーマット情報を用いて、ＳＦＩを決定する工程と、
ｄ．もしＳＤＵフォーマット情報がセットされていないなら、最大ＳＤＵサイズを用いて、最大パケットサイズを決定する工程とを有することを特徴とする請求項１４に記載の方法。
【請求項１７】
前記残存ビットエラー率とＳＤＵエラー率とを用いて、パケット損失率とビットエラー率とを決定する工程はさらに、
ａ．多数の無線アクセスベアラ（ＲＡＢ）のサブフローと、ＳＤＵエラー率と残存ビットエラー率との内の少なくともいずれかの異なる値とが、前記サブフロー各々についてセットされていないなら、
ｉ．  エラーＳＤＵの配信についてチェックする工程と、
ii．  もしエラーＳＤＵの配信に（−）がセットされているなら、残存ビットエラー率とトラフィッククラスとを用いてパケット損失率とビットエラー率とを決定する工程と、
iii.  もしエラーＳＤＵの配信に（イエス／ノー）がセットされているなら、残存ビットエラー率とＳＤＵエラー率とトラフィッククラスとを用いて、パケット損失率とビットエラー率とを決定する工程とを実行し、
ｂ．もしＳＤＵエラー率と残存ビットエラー率との内の少なくともいずれかの異なる値が前記サブフロー各々についてセットされているなら、全てのＲＡＢのサブフローについて前記ａ．の工程を繰り返すことを特徴とする請求項１４に記載の方法。
【請求項１８】
前記方法は無線ネットワークと通信を行うネットワークノード装置において実行されることを特徴とする請求項１に記載の方法。
【請求項１９】
前記ネットワークノード装置はユーザ装置であることを特徴とする請求項１８に記載の方法。
【請求項２０】
前記ネットワークノード装置はゲートウェイであることを特徴とする請求項１８に記載の方法。
【請求項２１】
ＩＰのＱｏＳパラメータからＵＭＴＳのＱｏＳ属性に変換を行う方法であって、前記方法は、
ａ．もしＭＩＭＥパラメータがセットされているならＭＩＭＥメディアタイプがチェックされるように、もしＭＩＭＥメディアタイプがオーディオであるならＡＭＲについてのＭＩＭＥ符号化がチェックされるように、ＭＩＭＥパラメータについてチェックする工程と、
ｂ．もしＭＩＭＥパラメータがセットされていないなら、制御された負荷パラメータと無線ヒントとを用いてＵＭＴＳのＱｏＳ属性を決定する工程と、
ｃ．もしＭＩＭＥパラメータがセットされているなら、制御された負荷パラメータと無線ヒントとＭＩＭＥパラメータとを用いてＵＭＴＳのＱｏＳ属性を決定する工程とを有し、
前記ＵＭＴＳのＱｏＳ属性を決定する工程はさらに、
ｉ．  予想遅延範囲、パケット処理優先度、ＳＦＩ、最大パケットサイズ、トークンレート、及びピークレートを用いて、トラフィッククラス、転送遅延、ソース静的記述子、トラフィック処理優先度、保証ビットレート、最大ビットレート、最大ＳＤＵサイズ、及びＳＤＵフォーマット情報を決定することと、
ii．  用いられるトランスポートプロトコルについての情報を用いて、配信順序、及びエラーＳＤＵの配信を決定することと、
iii.  パケット損失率とビットエラー率とを用いて、ＳＤＵエラー率と残存ビットエラー率とを決定することとを含むことを特徴とする方法。
【請求項２２】
ＵＭＴＳのＱｏＳ属性からＩＰのＱｏＳパラメータに変換を行う方法であって、前記方法は、
ａ．トラフィッククラス、転送遅延、トラフィック処理優先度、保証ビットレート、及び最大ビットレートを用いて、予想遅延範囲、パケット処理優先度、トークンレート、及びピークレートを決定する工程と、
ｂ．最大ＳＤＵサイズとＳＤＵフォーマット情報とを用いて、最大パケットサイズとＳＦＩとを決定する工程と、
ｃ．残存ビットエラー率とＳＤＵエラー率とを用いて、パケット損失率とビットエラー率とを決定する工程とを有することを特徴とする方法。
【請求項２３】
前記トラフィッククラス、転送遅延、トラフィック処理優先度、保証ビットレート、及び最大ビットレートを用いて、予想遅延範囲、パケット処理優先度、トークンレート、及びピークレートを決定する工程はさらに、
ａ．トラフィッククラスについてチェックする工程と、
ｂ．もしトラフィッククラスがストリーミング或いは会話型であるなら、保証ビットレートを用いて、トークンレートを決定する工程と、
ｃ．もしトラフィッククラスがストリーミング或いは会話型であるなら、最大ビットレートを用いて、ピークレートを決定する工程と、
ｄ．もしトラフィッククラスがストリーミング或いは会話型であるなら、転送遅延を用いて予想遅延範囲を決定する工程と、
ｅ．もしトラフィッククラスがバックグランド或いはインタラクティブであるなら、最大ビットレートを用いて、トークンレートを決定する工程と、
ｆ．もしトラフィッククラスがバックグランド或いはインタラクティブであるなら、最大ビットレートを用いて、ピークレートを決定する工程と、
ｇ．もしトラフィッククラスがバックグランド或いはインタラクティブであるなら、トラフィック処理優先度を用いて、パケット処理優先度を決定する工程を有することを特徴とする請求項２２に記載の方法。
【請求項２４】
前記最大ＳＤＵサイズとＳＤＵフォーマット情報とを用いて、最大パケットサイズとＳＦＩとを決定する工程はさらに、
ａ．ＳＤＵフォーマット情報がセットされたかどうかをチェックする工程と、
ｂ．もしＳＤＵフォーマット情報がセットされたなら、ＳＤＵフォーマット情報を用いて、最大パケットサイズを決定する工程と、
ｃ．もしＳＤＵフォーマット情報がセットされたなら、ＳＤＵフォーマット情報を用いて、ＳＦＩを決定する工程と、
ｄ．もしＳＤＵフォーマット情報がセットされていないなら、最大ＳＤＵサイズを用いて、最大パケットサイズを決定する工程とを有することを特徴とする請求項２２に記載の方法。
【請求項２５】
前記残存ビットエラー率とＳＤＵエラー率とを用いて、パケット損失率とビットエラー率とを決定する工程はさらに、
ａ．もし多数の無線アクセスベアラ（ＲＡＢ）のサブフローと、ＳＤＵエラー率と残存ビットエラー率との内の少なくともいずれかの異なる値とが、前記サブフロー各々についてセットされていないなら、
ｉ．  エラーＳＤＵの配信についてチェックする工程と、
ii．  もしエラーＳＤＵの配信に（−）がセットされているなら、残存ビットエラー率とトラフィッククラスとを用いてパケット損失率とビットエラー率とを決定する工程と、
iii.  もしエラーＳＤＵの配信に（イエス／ノー）がセットされているなら、ＳＤＵエラー率と残存ビットエラー率とトラフィッククラスとを用いて、パケット損失率とビットエラー率とを決定する工程とを実行し、
ｂ．もしＳＤＵエラー率と残存ビットエラー率との内の少なくともいずれかの異なる値が前記サブフロー各々についてセットされているなら、全てのＲＡＢのサブフローについて前記ａ．の工程を繰り返すことを特徴とする請求項２２に記載の方法。
【請求項２６】
ＩＰのＢＳ管理とＵＭＴＳのＢＳ管理とを含むネットワークノード装置であって、
ａ．前記ＩＰのＢＳ管理と前記ＵＭＴＳのＢＳ管理との間で、ＩＰのＱｏＳパラメータをＵＭＴＳのＱｏＳ属性に変換する第１の変換器と、
ｂ．前記ＩＰのＢＳ管理と前記ＵＭＴＳのＢＳ管理との間で、ＵＭＴＳのＱｏＳ属性をＩＰのＱｏＳパラメータに変換する第２の変換器とを有し、
前記第１の変換器は、
ｉ．  もしＭＩＭＥパラメータがセットされているなら、ＭＩＭＥメディアタイプをチェックするように、ＭＩＭＥパラメータをチェックし、もしＭＩＭＥメディアタイプがオーディオであるなら、ＡＭＲについてのＭＩＭＥ符号化をチェックし、
ii．  もしＭＩＭＥパラメータがセットされていないなら、制御された負荷パラメータと無線ヒントとを用いてＵＭＴＳのＱｏＳ属性を決定し、
iii.  もしＭＩＭＥパラメータがセットされているなら、制御された負荷パラメータと無線ヒントとＭＩＭＥパラメータとを用いてＵＭＴＳのＱｏＳ属性を決定し、
iv．  予想遅延範囲、パケット処理優先度、ＳＦＩ、最大パケットサイズ、トークンレート、及びピークレートを用いて、トラフィッククラス、転送遅延、ソース静的記述子、トラフィック処理優先度、保証ビットレート、最大ビットレート、最大ＳＤＵサイズ、及びＳＤＵフォーマット情報を決定し、
ｖ．  用いられるトランスポートプロトコルについての情報を用いて、配信順序、及びエラーＳＤＵの配信を決定し、
vi.  パケット損失率とビットエラー率とを用いて、ＳＤＵエラー率と残存ビットエラー率とを決定するように動作可能であることを特徴とするネットワークノード装置。
【請求項２７】
前記第２の変換器は、
ａ．トラフィッククラス、転送遅延、トラフィック処理優先度、保証ビットレート、及び最大ビットレートを用いて、予想遅延範囲、パケット処理優先度、トークンレート、及びピークレートを決定し、
ｂ．最大ＳＤＵサイズとＳＤＵフォーマット情報とを用いて、最大パケットサイズとＳＦＩとを決定し、
ｃ．残存ビットエラー率とＳＤＵエラー率とを用いて、パケット損失率とビットエラー率とを決定するよう動作可能であることを特徴とする請求項２６に記載のネットワークノード装置。
【請求項２８】
前記第２の変換器がトラフィッククラス、転送遅延、トラフィック処理優先度、保証ビットレート、及び最大ビットレートを用いて、予想遅延範囲、パケット処理優先度、トークンレート、及びピークレートを決定することは、
ａ．トラフィッククラスについてチェックする工程と、
ｂ．もしトラフィッククラスがストリーミング或いは会話型であるなら、保証ビットレートを用いて、トークンレートを決定する工程と、
ｃ．もしトラフィッククラスがストリーミング或いは会話型であるなら、最大ビットレートを用いて、ピークレートを決定する工程と、
ｄ．もしトラフィッククラスがストリーミング或いは会話型であるなら、転送遅延を用いて予想遅延範囲を決定する工程と、
ｅ．もしトラフィッククラスがバックグランド或いはインタラクティブであるなら、最大ビットレートを用いて、トークンレートを決定する工程と、
ｆ．もしトラフィッククラスがバックグランド或いはインタラクティブであるなら、最大ビットレートを用いて、ピークレートを決定する工程と、
ｇ．もしトラフィッククラスがバックグランド或いはインタラクティブであるなら、トラフィック処理優先度を用いて、パケット処理優先度を決定する工程とを実行することによりなされることを特徴とする請求項２７に記載のネットワークノード装置。
【請求項２９】
前記第２の変換器が最大ＳＤＵサイズとＳＤＵフォーマット情報とを用いて、最大パケットサイズとＳＦＩとを決定することは、
ａ．ＳＤＵフォーマット情報がセットされたかどうかをチェックする工程と、
ｂ．もしＳＤＵフォーマット情報がセットされたなら、ＳＤＵフォーマット情報を用いて、最大パケットサイズを決定する工程と、
ｃ．もしＳＤＵフォーマット情報がセットされたなら、ＳＤＵフォーマット情報を用いて、ＳＦＩを決定する工程と、
ｄ．もしＳＤＵフォーマット情報がセットされていないなら、最大ＳＤＵサイズを用いて、最大パケットサイズを決定する工程とを実行することによりなされることを特徴とする請求項２７に記載のネットワークノード装置。
【請求項３０】
前記第２の変換器が残存ビットエラー率とＳＤＵエラー率とを用いて、パケット損失率とビットエラー率とを決定することは、
ａ．もし多数の無線アクセスベアラ（ＲＡＢ）のサブフローと、ＳＤＵエラー率と残存ビットエラー率との内の少なくともいずれかの異なる値とが、前記サブフロー各々についてセットされていないなら、
ｉ．  エラーＳＤＵの配信についてチェックする工程と、
ii．  もしエラーＳＤＵの配信に（−）がセットされているなら、残存ビットエラー率とトラフィッククラスとを用いてパケット損失率とビットエラー率とを決定する工程と、
iii.  もしエラーＳＤＵの配信に（イエス／ノー）がセットされているなら、ＳＤＵエラー率と残存ビットエラー率とトラフィッククラスとを用いて、パケット損失率とビットエラー率とを決定する工程とを実行し、
ｂ．もしＳＤＵエラー率と残存ビットエラー率との内の少なくともいずれかの異なる値が前記サブフロー各々についてセットされているなら、全てのＲＡＢのサブフローについて前記ａ．の工程を繰り返す工程を実行することによりなされることを特徴する請求項２７に記載のネットワークノード装置。
【請求項３１】
前記ネットワークノード装置はユーザ装置であることを特徴とする請求項２６に記載のネットワークノード装置。
【請求項３２】
前記ネットワークノード装置はゲートウェイであることを特徴とする請求項２６に記載のネットワークノード装置。
【請求項３３】
前記第１及び第２の変換器はコンピュータプログラムの一部であることを特徴とする請求項２６に記載のネットワークノード装置。
【請求項３４】
前記第１及び第２の変換器はハードウェアで実現されることを特徴とする請求項２６に記載のネットワークノード装置。
【請求項３５】
前記ハードウェアはＰＣＭＣＩＡカードであることを特徴とする請求項３４に記載のネットワークノード装置。
【請求項３６】
前記ハードウェアはモデムであることを特徴とする請求項３４に記載のネットワークノード装置。
【請求項３７】
前記ＩＰのＱｏＳパラメータは無線ヒントを含むことを特徴とする請求項２６に記載のネットワークノード装置。
【請求項３８】
前記ネットワークノード装置はユーザ装置であることを特徴とする請求項３７に記載のネットワークノード装置。
【請求項３９】
前記ネットワークノード装置はゲートウェイであることを特徴とする請求項３７に記載のネットワークノード装置。